(57)【要約】      （修正有）【課題】ＬＰＧボンベの外表面温度が４０℃に達したとき温度センサの作用で電磁バルブを自動的に閉じ、ボンベの外表面に取り付ける温水ジャケットへの温水供給を止め、かつ電磁バルブの切り替えで給湯管へ温水を排水する構造のもの、外壁に沿って並列状に設置される２本一組のＬＰガスボンベを収容できる大きさのＬＰガスボンベ用カバー本体を略箱型に形成すると共に凹溝状の強度補強リブを高さ方向へ複数備えているものもある。【解決手段】単体のＬＰＧボンベの外周壁面を被覆する不燃性又は難燃性の布からなる温度上昇防止カバー４を、ボンベ肩部の外側に嵌めるリング部材３と、ボンベ胴部の外側に嵌めるリング部材３の外側に、ボンベの全周又は半周にわたり隙間を保持してボンベの外周壁面を被覆した。【選択図】図９
2011133044.tif 000002
【特許請求の範囲】
【請求項１】
単体のＬＰＧボンベの外周壁面を被覆する不燃性又は難燃性の布からなる温度上昇防止カバーであつて、縮径したボンベ肩部の外側に嵌めるリング部材と、拡径したボンベ胴部外側に嵌めるリング部材の外側を、ボンベの全周又は半周にわたり隙間を保持して被覆するＬＰＧボンベの外周壁面を被覆する温度上昇防止カバー。
【請求項２】
温度上昇防止カバー４の表面に「LPガス」「火気厳禁」または「火気注意」の文字を書したステッカー５を貼り付けて成る請求項1記載のLPGボンベの外周壁面を被覆する温度上昇防止カバー。
【請求項３】
温度上昇防止カバー自体に会社名等を書して成る請求項1記載のLPGボンベの外周壁面を被覆する温度上昇防止カバー。
【請求項４】
ＬＰＧボンベに設けているプロテクターの上縁に係止するフックをリング部材３に起倒自在に取り付けて成る請求項１乃至請求項３いずれかに記載のＬＰＧボンベの外周壁面を被覆する温度上昇防止カバー。
【請求項５】
ＬＰＧボンベの外周壁面を被覆する温度上昇防止カバーに設けられたボンベの肩部及び胴部に嵌める各リング部材をチェンで連結して成る請求項１乃至請求項４いずれかに記載のＬＰＧボンベの外周壁面を被覆する温度上昇防止カバー。
【発明の詳細な説明】
【技術分野】
【０００１】
本発明はＬＰＧボンベの温度上昇防止カバーに関する。
【背景技術】
【０００２】
液化石油ガス(ＬＰＧ)の保安の確保及び取引の適正化に関する法律施行規則第１８条によれば、充てん容器は原則として屋外に容器から２メートル以内に火気を遮る措置を講じて置くこと、かつ、充てん容器等は、常に温度４０度(法定上限温度という)以下に保つこと、当該容器を置く位置から２メートル以内にある火気を遮る措置を講じることが義務付けられている。
【０００３】
ＬＰＧを効率よく気化させるためＬＰＧボンベの外周面に沿って温水ジャケットを被せて温水を循環させると共に、ＬＰＧボンベの外表面温度が４０℃に達したとき電磁バルブを自動的に閉じる公知の温度センサを内蔵した発明がある(特許文献１)。
【０００４】
建築物の外壁に沿って並列状の、むき出し状態で設置されているＬＰガス使用のイメージアップを図り、かつ、着脱が容易なアクリル変性塩化ビニル板からなるＬＰガスボンベ用カバー本体を、建築物等の外壁に取り付けた掛止め具を用いてＬＰガスボンベを被覆することを目的とする考案がある(特許文献２)。
【先行技術文献】
【特許文献】
【０００５】
【特許文献１】特開２００２−５５２１号公報
【特許文献２】登録実用新案第３００９４０３号公報
【発明の概要】
【発明が解決しようとする課題】
【０００６】
特開２００２−５５２１号公報に係る発明は、ＬＰＧボンベから供給される石油液化ガスを熱源とするＬＰガス給湯装置であり、給湯器の排ガス熱をＬＰＧ加温気化手段として用い気化効率を高めることを目的とし、温水取り入れ口からＬＰＧボンベの外周面に沿って温水を流す多数の流路を網状に設けた温水ジャケットをＬＰＧボンベに被せ、温水ジャケットの一部にＬＰＧボンベの外表面温度が４０℃に達したとき温度センサの作用で電磁バルブを自動的に閉じて温水ジャケットへの温水供給を止め、かつ電磁バルブの切り替えで給湯管へ温水を排水する構造であり、高価なＬＰＧ蒸発器を不要としている。
【０００７】
而して必須の温水ジャケットを塩化ビニル等の合成樹脂やゴム材等で形成しているが、温度センサや電磁バルブ及びＬＰガス給湯器の燃焼排気ガスを取り入れる熱交換器を要する等構造が複雑となり、気温が高くなる夏季においては温水ジャケットが全く不要となる。
【０００８】
登録実用新案第３００９４０３号公報に係る考案は、ＬＰガスボンベ用カバー本体を建築物等の外壁に取り付けるための掛止め具を必要とし、外壁に沿って並列状に設置される２本一組のＬＰガスボンベを収容できる大きさのＬＰガスボンベ用カバー本体を略箱型に形成しているものであり、かつ、凹溝状の強度補強リブを高さ方向へ複数備えているためＬＰガスボンベ用カバー本体をコンパクトに折り畳むことが困難である。
【課題を解決するための手段】
【０００９】
単体のＬＰＧボンベの外周壁面を被覆する不燃性又は難燃性の布からなる温度上昇防止カバーであつて、縮径したボンベ肩部の外側に嵌めるリング部材と、拡径したボンベ胴部外側に嵌めるリング部材の外側を、ボンベの全周又は半周にわたり隙間を保持して被覆すると共に、取り外したとき扁平な提灯状に嵩低く畳むことができるようにし、ボンベ交換時や持ち運びを容易にするＬＰＧボンベの温度上昇防止カバーを提供することを目的とする。
【発明の効果】
【００１０】
本発明に係る温度上昇防止カバーを、単体のＬＰＧボンベの肩部と胴部の外側に嵌めるリング部材の外側をＬＰＧボンベの全周又は半周にわたり隙間を保持して被覆しているため隙間から空気が流通することにより夏季にあつては直射日光を遮断でき、冬季にあつてはＬＰガスの発生に必要な外部熱を適宜取り入れることができる。
【図面の簡単な説明】
【００１１】
【図１】プロテクター付きのＬＰＧボンベを示す正面図。
【図２】ＬＰＧボンベの外周壁を全周にわたり被覆する温度上昇防止カバーを示す正面図。
【図３】同、平面図。
【図４】ＬＰＧボンベの外周壁を半周にわたり被覆する温度上昇防止カバーを示す正面図。
【図５】同、平面図。
【図６】温度上昇防止カバーの表面適所に会社名等を表示するステッカーを貼り付け、又はカバー自体に会社名等を書した正面図。
【図７】ＬＰＧボンベの半周を被覆する温度上昇防止カバーを、ボンベ上部のプロテクターの上縁に着脱自在に掛け止めするフックを用いて係止した状態を示す平面図。
【図８】同、要部切欠き正面図。
【図９】同、外観正面図。
【図１０】他のＬＰＧボンベの頂面に設けられているバルブ基部外周にリング部材を嵌め、該リング部材とボンベの胴部外周に嵌めるリング部材にわたり温度上昇防止カバーを被覆した状態を示す一部切欠き正面図。
【図１１】ＬＰＧボンベの頂面に設けられているバルブ基部外周にリング部材を嵌め、該リング部材とボンベの胴部外周に嵌めるリング部材にわたり取り付ける適当な丈長さを有する温度上昇防止カバーを示す要部切欠き正面図。
【図１２】同、平面図。
【図１３】同、斜視図。
【図１４】ＬＰＧボンベの外周壁半周を被覆する温度上昇防止カバーに設けられたボンベの肩部及び胴部に嵌める各リング部材をチェンで連結した状態を示す斜視図。
【図１５】温度上昇防止カバーを扁平な提灯状に嵩低く畳んだ状態を示す正面図。
【図１６】プロテクター付き２０キログラムＬＰＧボンベに温度上昇防止カバーを被覆した状態を示す正面図。
【図１７】他の２０キログラムＬＰＧボンベに被覆する温度上昇防止カバーを上方ヘ巻き上げ、巻き下ろす状態を示すと共に、温度上昇防止カバーの前面に開閉自在なファスナー又は面ファスナーを取り付けた状態を示す正面図。
【発明を実施するための形態】
【００１２】
図１に示すプロテクター１ａ付きＬＰＧボンベ１の肩部１ｂ及び胴部１ｃにわたり、図２及び図３に示す温度上昇防止カバー２を被覆する。温度上昇防止カバー２は夏季において気温が上がり、ＬＰＧ充てん容器等は、常に温度４０度(上限法定上限温度)以下に保つことが義務付けられていることに対応し遮熱するため用いるものであり、ＬＰＧボンベ１の肩部１ｂ 及び胴部１ｃの外周壁に嵌めるリング部材３の外側に温度上昇防止カバー２をＬＰＧボンベ１の外周壁面と隙間を保持して全周にわたり被覆する。
【００１３】
図４及び図５は温度上昇防止カバー２に「ＬＰガス」「火気厳禁」の文字を書したステッカー５を貼り付け、或いは図６に示すように温度上昇防止カバー２自体に「会社名、電話番号、火気注意」等の文字６を書するのである。
【００１４】
図７及び図８は他の温度上昇防止カバー４の肩部４ａをＬＰＧボンベ１に設けているプロテクター１ａの上縁に係止するため、リング部材３に起倒自在に取り付けているフック７を該上縁に掛け止めると、フック７を嵩低く折り畳むことができる。８はバルブ、９は高圧ホースである。
【００１５】
図９はプロテクター１ａの上縁にフック７を用いて適当な丈長さの温度上昇防止カバー４をＬＰＧボンベ１の略外周壁全面にわたり被覆している状態を示している。
【００１６】
図１０はプロテクターを備えない他のＬＰＧボンベ１０の頂部に設けているバルブ基部１０ｃにリング部材３を嵌めると共にＬＰＧボンベの肩部１０ａ及び胴部１０ｂにもリング部材３を嵌め、適当な丈長さの温度上昇防止カバー２をＬＰＧボンベ１０の略外周壁全面にわたり被覆している。温度上昇防止カバー２の上縁と下縁とを二重に折り重ね端部の強度を補強している。
【００１７】
図１１及び図１２は適当な丈長さの温度上昇防止カバー２をＬＰＧボンベ１０に被覆した状態を示している。図１３は同状態の斜視図である。
【００１８】
図１４はＬＰＧボンベ１の外周壁面の半周を被覆する温度上昇防止カバー２であり、肩部１ｂ、胴部１ｃの外側に嵌める各リング部材３をチェン１１で連結してリング部材３間の間隔を保持し、その重量で温度上昇防止カバー２が風雨等で捲れ上がらないようにしている。
【００１９】
図１５は温度上昇防止カバー２を扁平な提灯状に折り重ね合わせコンパクトに圧縮してボンベ交換時や持ち運びを容易にしている。温度上昇防止カバー４も同様に扁平な提灯状に折り重ね合わせることができる。
【００２０】
図１６はプロテクター付きの２０キログラムＬＰＧボンベ１２の外周壁面に丈長さの短い温度上昇防止カバー１３を被覆しており、該温度上昇防止カバー１３を図１７に示すようにプロテクターを備えない他のＬＰＧボンベ１４のバルブ基部１４ａに温度上昇防止カバー１５の上下端部を二重に折り重ね強度を補強した上端部を嵌め、ＬＰＧボンベ１４の肩部から胴部にわたり温度上昇防止カバー１５を被覆すると共に、該温度上昇防止カバー１５の前面を二分割して双方の開口を開閉自在に閉じ合わせるファスナー１６を取り付ける。該スライダー付きファスナーに替え面ファスナーを縫着することもでき、或いはフォックボタンを取り付けることもできる。温度上昇防止カバー１５はＬＰＧボンベ１４の肩部側へ扁平な提灯状に巻き上げることができ、コンパクトに畳んで持ち運びでき、又、ガスボンベの交換が容易である。
【産業上の利用可能性】
【００２１】
単体のＬＰＧボンベの法定上限温度である４０度を超えないよう簡単な装備で遮熱できるため有用な市場性がある。
【符号の説明】
【００２２】
１、１０、１２・・ＬＰＧボンベ      
１ａ ・・ボンベのプロテクター    
２、４、１３、１５・・温度上昇防止カバー
３・・リング部材
５・・ステッカー
７・・フック  
１１・・チェン  
１６・・ファスナー  
【図１】
2011133044.tif 000003
【図２】
2011133044.tif 000004
【図３】
2011133044.tif 000005
【図４】
2011133044.tif 000006
【図５】
2011133044.tif 000007
【図６】
2011133044.tif 000008
【図７】
2011133044.tif 000009
【図８】
2011133044.tif 000010
【図９】
2011133044.tif 000011
【図１０】
2011133044.tif 000012
【図１１】
2011133044.tif 000013
【図１２】
2011133044.tif 000014
【図１３】
2011133044.tif 000015
【図１４】
2011133044.tif 000016
【図１５】
2011133044.tif 000017
【図１６】
2011133044.tif 000018
【図１７】
2011133044.tif 000019